(57)【特許請求の範囲】
【請求項１】
刃先が突出される替刃を挟持可能な一対の挟着手段を備えたホルダと、そのホルダに挟持された替刃とを備えた替刃剃刀であって、
前記ホルダは、前記各挟着手段の少なくともいずれか一方の外側面の刃先側端部における下側縁部から連接するとともに、皮膚を窪ませるために外方に対し円弧状に膨出する膨出部が形成され、その膨出部の曲率半径が２〜５ｍｍとされ、前記各挟着手段の少なくともいずれか一方の外側面であって、前記膨出部の反刃先側には、前記膨出部に連接するように内方に円弧状をなす湾曲面が形成され、その湾曲面の曲率半径が８〜１２ｍｍとされており、
前記ホルダに対する前記替刃の突出長さが０．３〜０．９ｍｍとされたことを特徴とする替刃剃刀。
【請求項２】
請求項１に記載の替刃剃刀において、替刃の刃先からホルダの膨出部に接する接線と、替刃の中央線とのなす角度を２４〜３２度とした替刃剃刀。
【発明の詳細な説明】
【０００１】
【発明の属する技術分野】
本発明は、理容室において顔剃り等に使用される替刃剃刀に関するものである。
【０００２】
【従来の技術】
この種の替刃剃刀は、替刃を挟持可能なホルダと、そのホルダに挟持された替刃とから構成されている。そして、このような替刃剃刀で顔剃りを行う場合には、替刃の刃先を皮膚に接触させた状態で、替刃剃刀を皮膚に沿って移動させる。
【０００３】
ところで、替刃剃刀で顔剃りを行う場合において、皮膚に対する替刃の角度（対皮角度）を大きくする程、即ち、ホルダを立てる程、安全性が向上することが知られている。しかし、ホルダを立て過ぎると、剃り心地は悪くなる。
【０００４】
そこで、特許公報第２５５５４３２号では、剃り心地を良くするために、ホルダの外側面の刃先側端部に円弧状膨出部を設け、替刃を皮膚に対して略平行にして、刃先とともに円弧状膨出部を皮膚に接触させて顔剃りを行う替刃剃刀の使用方法が提案されている。このような替刃剃刀では、円弧状膨出部が皮膚に接触してホルダ重量及びホルダ運行荷重を受け止めるため、刃先に荷重が集中することはない。
【０００５】
【発明が解決しようとする課題】
しかしながら、単にホルダの外側面の刃先側端部を円弧状に膨出させただけの形状では、膨出部の曲率半径によっては剃り心地が悪くなることもある。即ち、膨出部の曲率半径が小さ過ぎると、膨出部と皮膚との摩擦力が大きくなり過ぎて、剃り心地が悪くなる。一方、膨出部の曲率半径が大き過ぎると、膨出部は皮膚に接触するものの、替刃の刃先は皮膚に接触し難くなる。そのため、膨出部及び刃先の両方を皮膚に接触させるためにホルダを立てる必要があり、剃り心地が悪くなる。
【０００６】
本発明の目的は、剃り心地が悪くなることを防止することが可能な替刃剃刀を提供することにある。
【０００７】
【課題を解決するための手段】
上記の目的を達成するために、請求項１に記載の発明は、刃先が突出される替刃を挟持可能な一対の挟着手段を備えたホルダと、そのホルダに挟持された替刃とを備えた替刃剃刀であって、前記ホルダは、前記各挟着手段の少なくともいずれか一方の外側面の刃先側端部における下側縁部から連接するとともに、皮膚を窪ませるために外方に対し円弧状に膨出する膨出部が形成され、その膨出部の曲率半径が２〜５ｍｍとされ、前記各挟着手段の少なくともいずれか一方の外側面であって、前記膨出部の反刃先側には、前記膨出部に連接するように内方に円弧状をなす湾曲面が形成され、その湾曲面の曲率半径が８〜１２ｍｍとされており、前記ホルダに対する前記替刃の突出長さが０．３〜０．９ｍｍとされたことを特徴とする替刃剃刀を要旨としている。
【０００８】
尚、当該ホルダは、替刃を挟持して顔剃りを行うためのものである。そして、顔剃りを行う場合には、膨出部で皮膚を窪ませた状態で、替刃剃刀を皮膚に沿って移動させる。即ち、顔剃りを行う場合には、膨出部が皮膚に接触する。そのため、膨出部の曲率半径が２ｍｍ未満の小さな場合には、その曲率半径の小さな膨出部が皮膚に接触することになり、十分に皮膚を窪ませることができないばかりか、膨出部と皮膚との摩擦力が大きくなり過ぎる。従って、剃り心地が悪くなる。そこで、膨出部の曲率半径の下限値を２ｍｍとしているのである。又、膨出部の曲率半径が５ｍｍを超える大きな場合には、膨出部は皮膚に接触するものの、替刃の刃先は皮膚に接触し難くなる。そのため、膨出部及び刃先の両方を皮膚に接触させるためにホルダを立てる必要がある。従って、剃り心地が悪くなる。そこで、膨出部の曲率半径の上限値を５ｍｍとしているのである。
【０００９】
従って、請求項１に記載の発明によれば、膨出部の曲率半径を２〜５ｍｍとしたため、例えば、当該ホルダで替刃を挟持して顔剃りを行った場合において、剃り心地が悪くなることはない。
【００１１】
尚、湾曲面の曲率半径が８ｍｍ未満の小さな場合には、挟着手段の厚さが薄くなって、必要な剛性が得られない。そこで、湾曲面の曲率半径の下限値を８ｍｍとしているのである。又、湾曲面の曲率半径が１２ｍｍを超える大きな場合には、挟着手段の厚さが必要以上に厚くなって、ホルダが大型化する。そこで、湾曲面の曲率半径の上限値を１２ｍｍとしているのである。
【００１２】
従って、請求項１に記載の発明によれば、前記請求項１に記載の発明の作用に加えて、湾曲面の曲率半径を８〜１２ｍｍとしたため、挟着手段に必要な剛性が得られ、しかもホルダが大型化することはない。
【００１４】
尚、ホルダに対する替刃の突出長さが０．３ｍｍ未満の短い場合には、顔剃りを行うときに、ホルダの膨出部は皮膚に接触するものの、替刃の刃先は皮膚に接触し難くなる。そのため、膨出部及び刃先の両方を皮膚に接触させるためにホルダを立てる必要がある。従って、剃り心地が悪くなる。そこで、ホルダに対する替刃の突出長さの下限値を０．３ｍｍとしているのである。又、同突出長さが０．３ｍｍから０．９ｍｍに近づく程、剃り心地は良くなるが、ホルダに対する替刃の突出長さが０．９ｍｍを超える長い場合には、膨出部及び刃先の両方を皮膚に接触させるためにホルダを寝かせる必要がある。そのため、顔剃りが行い難くなる。そこで、ホルダに対する替刃の突出長さの上限値を０．９ｍｍとしているのである。
【００１５】
従って、請求項１に記載の発明によれば、ホルダに対する替刃の突出長さを０．３〜０．９ｍｍとしたため、剃り心地が悪くなることはなく、しかも顔剃りが行い難くなることもない。
【００１６】
請求項２に記載の発明では、請求項１に記載の替刃剃刀において、替刃の刃先からホルダの膨出部に接する接線と、替刃の中央線とのなす角度を２４〜３２度とした。
【００１７】
尚、一般に、替刃の刃先からホルダの膨出部に接する接線と、替刃の中央線とのなす角度が小さい程、剃り心地が良く、同角度が大きい程、顔剃りが行い易いことが知られている。そのため、同角度が２４度未満の小さな場合には、剃り心地は良くなるが、顔剃りは行い難くなる。そこで、同角度の下限値を２４度としているのである。又、同角度が３２度を超える大きな場合には、顔剃りは行い易くなるが、剃り心地は悪くなる。そこで、同角度の上限値を３２度としているのである。
【００１８】
従って、請求項２に記載の発明によれば、前記請求項１に記載の発明の作用に加えて、顔剃りが行い難くなったり、剃り心地が悪くなったりすることはない。
【００１９】
【発明の実施の形態】
以下、本発明を具体化した一実施形態を図面に従って説明する。図１は替刃剃刀を示す斜視図である。替刃剃刀１はホルダ２と同ホルダ２に挟持された替刃３とを備えている。ホルダ２は柄部４と固定挟着部材５と可動挟着板６とを備えている。固定挟着部材５は柄部４と一体に成形されている。固定挟着部材５の先端部には固定挟着部７が形成されている。前記固定挟着部７に対向する位置には可動挟着板６が設けられており、両者６、７の協働により替刃３が挟着されている。尚、替刃剃刀１を先端側から見たとき、左側に可動挟着板６が、右側に固定挟着部７が、それぞれ配置されている。
【００２０】
図２に示すように、固定挟着部７は、替刃３（図２においては図示しない）が位置決めされつつ載置される刃体載置部１１と、可動挟着板６の後記する支軸３２、３３が回動自在に支持される支持筒１２、１３と、バネ装着部１４と、バネ装着部１４に装着されている板バネ１５とを備えている。刃体載置部１１は、固定挟着部７における上下方向の中央付近から下側縁部にかけて平滑に形成されており、その最上部には、上下方向への替刃３の移動を制限するための係止突状部１６が形成されている。尚、固定挟着部７の基端方向（図２においては左側）への替刃３の移動は、可動挟着板６を係止する壁状部１７によって制限されている。
【００２１】
又、係止突状部１６の上面には、固定挟着部７の基端側から先端側に延びる断面半円状のガイド溝１８が形成されており、可動挟着板６の支軸３２、３３は、このガイド溝１８に案内されつつ支持筒１２、１３に到達する。支持筒１２、１３は、断面半円状のガイド溝１８の先端側、及び基端側において、その開口部が先基端側方向を向く筒状体によって形成されており、先端側の支持筒１２は、支軸３２の被係止部４１を係止するために基端側の支持筒１３よりも短く形成されている。
【００２２】
バネ装着部１４は、装着される板バネ１５の寸法に対応するように凹設されており、その中央部分には、装着される板バネ１５の装着位置を定めるためのバネ装着突起１９が形成されている。板バネ１５は、下側から見て略Ｍ字状に形成されており、その中央部分に形成された装着孔２０にてバネ装着部１４のバネ装着突起１９に係合され、係止ワッシャ２１によって遊動自在に装着されている。
【００２３】
可動挟着板６は、前記固定挟着部７の刃体載置部１１との協働により替刃３を挟着する刃体挟着部３１と、支持筒１２、１３に挿嵌される支軸３２、３３と、板バネ１５によって押圧される被押圧部３４とを備えている。刃体挟着部３１は、可動挟着板６における上下方向の中央付近から下側縁部にかけて平滑に形成されており、その最上部には、係止突状部１６を受けるため、係止突状部１６に対応する断面段状の帯状溝３５が形成されている。帯状溝３５の上面には、可動挟着板６の基端側から先端側に延びる断面半円状のガイド溝３６が形成されており、このガイド溝３６と支持筒１２、１３とが係合した状態でスライドされることにより、各支軸３２、３３が各支持筒１２、１３に案内される。
【００２４】
支軸３２、３３は、支持筒１２、１３に挿嵌される軸部３７、３８と、軸部３７、３８を可動挟着板６に固定する固定部３９、４０とから構成されており、ガイド溝３６の先端側、及び基端側において、軸部３７、３８が基端側を向くように配設されている。そして、先端側に位置する支軸３２の軸部３７の周囲には、先端側の支持筒１２に確実に係止されるための被係止部４１が形成されている。この被係止部４１は、支軸３２における軸部３７の先端付近に、軸部３７が有する断面径よりも大きな断面径を有するよう形成されている。そして、軸部３７が支持筒１２に挿嵌された後、板バネ１５の弾性力によって、両者１２、３７の軸が軸の径方向にずれるのに伴って、被係止部４１が支持筒１２に係止されるのである。
【００２５】
次に、本実施形態の替刃剃刀１の特徴点について説明する。図３に示すように、固定挟着部７の反可動挟着板側側面は、図３に示すようにその下側縁部から湾曲形成されており、該下側縁部から連接するとともに、皮膚を窪ませるために外方に対し円弧状に膨出する膨出部５１と同膨出部５１に連接された凹状の湾曲面５２とを備えている。本実施形態では、膨出部５１の曲率半径は３ｍｍに設定されている。又、湾曲面５２の曲率半径は９ｍｍに設定されている。一方、可動挟着板６の反固定挟着部側側面は、図３に示すようにその下側縁部から湾曲形成されており、該下側縁部から連接するとともに、皮膚を窪ませるために外方に対し円弧状に膨出する膨出部５３と同膨出部５３に連接された凹状の湾曲面５４とを備えている。本実施形態では、膨出部５３の曲率半径は３ｍｍに設定されている。又、湾曲面５４の曲率半径は９ｍｍに設定されている。
【００２６】
又、固定挟着部７の刃体載置部１１と可動挟着板６の刃体挟着部３１との協働により挟着された替刃３において、ホルダ２に対する替刃３の突出長さＤ１は０．７ｍｍに設定されている。そして、替刃３の刃先から膨出部５１に接する接線Ｌ１と、替刃３の中央線Ｍとのなす角度θ１は約２６．９度に設定されている。又、替刃３の刃先から膨出部５３に接する接線Ｌ２と、前記中央線Ｍとのなす角度θ２は約２６．９度に設定されている。即ち、替刃剃刀１を先端側から見ると、可動挟着板６及び固定挟着部７の湾曲形成された側面同士は、前記中央線Ｍを中心に略左右対称形状となっている。
【００２７】
又、固定挟着部７における刃体載置部１１から湾曲面５２までの距離Ｔ１、ガイド溝１８から湾曲面５２までの距離Ｔ２、可動挟着板６における刃体挟着部３１から湾曲面５４までの距離Ｔ３、帯状溝３５から湾曲面５４までの距離Ｔ４、ガイド溝３６から湾曲面５４までの距離Ｔ５は、それぞれ約０．７５ｍｍに設定されている。
【００２８】
次に、上記のように構成した替刃剃刀１の作用を説明する。
まず、可動挟着板６を固定挟着部７に組み付ける場合には、左手で柄部４を握った状態で、右手で可動挟着板６を持ち、固定挟着部７の内側面（刃体載置部１１が形成されている方の面）と可動挟着板６の内側面（刃体挟着部３１が形成されている方の面）とを対向させる。そして、各支軸３２、３３をガイド溝１８に合わせるとともに、ガイド溝３６を各支持筒１２、１３に合わせる。この際、可動挟着板６の基端を固定挟着部７に突設された目印Ｓに合わせるとよい。そして、左手で柄部４を握ったまま右手で固定挟着部７及び可動挟着板６を握り、可動挟着板６の湾曲面５４に右手の親指を添えて、可動挟着板６の背部と固定挟着部７の背部とを右手の親指と人差し指とで挟むように押圧する。
【００２９】
すると、可動挟着板６の背部が固定挟着部７の背部に近接し、被押圧部３４が板バネ１５を押圧することにより、各支軸３２、３３の軸部３７、３８と各支持筒１２、１３とが同一軸線上に位置する。そして、その状態で可動挟着板６を図４に示すようにスライドさせていくと、やがて、各支持筒１２、１３に支軸３２、３３の軸部３７、３８が挿嵌される。このとき、膨出部５３及び湾曲面５４によって右手の親指に引っ掛かりができるため、可動挟着板６をスムーズにスライドさせることができる。
【００３０】
そして、可動挟着板６が固定挟着部７の壁状部１７に当接したところで、可動挟着板６の背部と固定挟着部７の背部との押圧を止めると、板バネ１５が非押圧状態に戻ろうとして被押圧部３４を押圧し、可動挟着板６の背部を押し広げる。ここで、先端側の支軸３２の軸部３７の先端付近には、軸部３７の断面径よりも大きな断面径を有する被係止部４１が形成されている。そのため、板バネ１５の弾性力によって可動挟着板６の背部が押し広げられると、支軸３２の軸部３７と支持筒１２とが同一軸線上から軸の径方向にずれることになる。従って、被係止部４１が支持筒１２に係止され、支軸３２は先端側の支持筒１２に確実に係止される。その結果、可動挟着板６の背部と固定挟着部７の背部とを押圧しながら、可動挟着板６をスライドさせない限り、可動挟着板６が固定挟着部７から外れることはない。即ち、可動挟着板６は、各支軸３２、３３が各支持筒１２、１３に回動自在に挿嵌されることにより、固定挟着部７に対して回動自在に係止されている。
【００３１】
次に、替刃３をホルダ２に装着する場合には、可動挟着板６の背部と固定挟着部７の背部とを左手の親指と人差し指とで挟むように押圧し、可動挟着板６の背部と固定挟着部７の背部とを近接させる。すると、可動挟着板６の刃体挟着部３１と固定挟着部７の刃体載置部１１とが離間するため、その離間した刃体挟着部３１と刃体載置部１１との間に替刃３を挿入する。
【００３２】
次に、替刃剃刀１で顔剃りを行う場合には、例えば、図６に示すように、右手で柄部４を握った状態で固定挟着部７の湾曲面５２に右手の親指を添えて、固定挟着部７の背部と可動挟着板６の背部とを右手の親指と人差し指とで軽く挟むようにしてもよい。このようにすれば、膨出部５１及び湾曲面５２によって右手の親指に引っ掛かりができるため、安定した状態で顔剃りを行うことができる。
【００３３】
次に、替刃３を交換するために、替刃３をホルダ２から取り外す場合には、替刃３をホルダ２に装着する場合と同様に、可動挟着板６の背部と固定挟着部７の背部とを左手の親指と人差し指とで挟むように押圧する。そして、その押圧に基づいて離間した刃体挟着部３１と刃体載置部１１との間から替刃３を引き抜く。
【００３４】
次に、可動挟着板６と固定挟着部７との間の汚れを落とすために、可動挟着板６を固定挟着部７から取り外す場合には、左手で柄部４を握った状態で可動挟着板６の湾曲面５４に左手の親指を添えて、可動挟着板６の背部と固定挟着部７の背部とを左手の親指と人差し指とで挟むように押圧する。そして、各支軸３２、３３の軸部３７、３８と各支持筒１２、１３とを同一軸線上に位置させた状態で、可動挟着板６を図５に示すようにスライドさせていくと、可動挟着板６を固定挟着部７から取り外すことができる。このとき、膨出部５３及び湾曲面５４によって左手の親指に引っ掛かりができるため、可動挟着板６を左手のみでスムーズにスライドさせることができる。
【００３５】
従って、本実施形態によれば、以下のような効果を得ることができる。
（１）ホルダ２の可動挟着板６及び固定挟着部７において、それぞれの外側面の刃先側端部における下側縁部から連接するとともに、皮膚を窪ませるために外方に対し円弧状に膨出する膨出部５１、５３を形成している。そのため、ホルダ２で替刃３を挟持して顔剃りを行った場合において、膨出部５１、５３が皮膚に接触してホルダ重量及びホルダ運行荷重を受け止めるため、刃先に荷重が集中することはない。つまり、刃先で皮膚を傷つけてしまう虞が低減され、ソフトな剃り味が得られ、肌荒れを起こし難い顔剃りが可能となる。しかも、膨出部５１、５３の曲率半径をそれぞれ３ｍｍとしている。そのため、剃り心地が悪くなることはない。従って、剃り心地が悪くなることを防止することができる。
【００３６】
（２）加えて、可動挟着板６及び固定挟着部７のそれぞれの外側面であって、膨出部５１、５３の反刃先側には、膨出部５１、５３に連接するように内方に円弧状をなす湾曲面５２、５４を形成している。そして、その湾曲面５２、５４の曲率半径をそれぞれ９ｍｍとしている。その結果、固定挟着部７における刃体載置部１１から湾曲面５２までの距離Ｔ１、ガイド溝１８から湾曲面５２までの距離Ｔ２、可動挟着板６における刃体挟着部３１から湾曲面５４までの距離Ｔ３、帯状溝３５から湾曲面５４までの距離Ｔ４、ガイド溝３６から湾曲面５４までの距離Ｔ５を、それぞれ約０．７５ｍｍ確保している。即ち、可動挟着板６及び固定挟着部７に必要な剛性を得るためには、距離Ｔ１〜Ｔ５が０．５ｍｍ以上必要であるが、替刃剃刀１の距離Ｔ１〜Ｔ５は、０．５ｍｍを上回る０．７５ｍｍである。そのため、可動挟着板６及び固定挟着部７に必要な剛性が得られ、しかもホルダ２が大型化することはない。従って、ホルダ２が大型化することを抑制しつつ、耐久性を向上させることができる。
【００３７】
（３）さらに、ホルダ２に対する替刃３の突出長さＤ１を０．７ｍｍとしている。そのため、剃り心地が悪くなることはなく、しかも顔剃りが行い難くなることもない。従って、剃り心地の良さと顔剃りの行い易さとを両立させることができる。
【００３８】
（４）又、替刃３の刃先からホルダ２の膨出部５１、５３に接する接線Ｌ１、Ｌ２と、替刃３の中央線Ｍとのなす角度θ１、θ２を、それぞれ約２６．９度としている。そのため、顔剃りが行い難くなったり、剃り心地が悪くなったりすることはない。従って、顔剃りの行い易さと剃り心地の良さとを両立させることができる。
【００３９】
（５）可動挟着板６を固定挟着部７に組み付ける場合には、例えば、左手で柄部４を握った状態で可動挟着板６の湾曲面５４に右手の親指を添えて、可動挟着板６の背部と固定挟着部７の背部とを右手の親指と人差し指とで挟むように押圧し、その状態で可動挟着板６をスライドさせる。このように可動挟着板６をスライドさせるときには、膨出部５３及び湾曲面５４によって右手の親指に引っ掛かりができるため、可動挟着板６をスムーズにスライドさせることができる。
【００４０】
（６）可動挟着板６を固定挟着部７から取り外す場合には、例えば、左手で柄部４を握った状態で可動挟着板６の湾曲面５４に左手の親指を添えて、可動挟着板６の背部と固定挟着部７の背部とを左手の親指と人差し指とで挟むように押圧し、その状態で可動挟着板６をスライドさせる。このように可動挟着板６をスライドさせるときには、膨出部５３及び湾曲面５４によって左手の親指に引っ掛かりができるため、可動挟着板６を左手のみでスムーズにスライドさせることができる。
【００４１】
（７）右利きの人が替刃剃刀１で顔剃りを行う場合には、例えば、右手で柄部４を握った状態で固定挟着部７の湾曲面５２に右手の親指を添えて、固定挟着部７の背部と可動挟着板６の背部とを右手の親指と人差し指とで軽く挟む。このようにして顔剃りを行うときには、膨出部５１及び湾曲面５２によって右手の親指に引っ掛かりができるため、安定した状態で顔剃りを行うことができる。
【００４２】
（８）加えて、左利きの人が替刃剃刀１で顔剃りを行う場合には、上記（７）と同様に、膨出部５３及び湾曲面５４によって左手の親指に引っ掛かりができるため、安定した状態で顔剃りを行うことができる。即ち、可動挟着板６の外側面に膨出部５３及び湾曲面５４を、固定挟着部７の外側面に膨出部５１及び湾曲面５２を、それぞれ形成したため、左利きの人又は右利きの人に関係なく、安定した状態で顔剃りを行うことができる。
【００４３】
なお、前記実施形態は以下のように変更してもよい。
・前記実施形態では、ホルダ２に対する替刃３の突出長さＤ１を０．７ｍｍとしたが、図７に示すように、同突出長さＤ１を０．５ｍｍとしてもよい。この場合、替刃３の刃先からホルダ２の膨出部５１、５３に接する接線Ｌ１、Ｌ２と、替刃３の中央線Ｍとのなす角度θ１、θ２は、約３０．４度となる。このように構成すれば、前記実施形態と比較して、替刃３において刃体載置部１１と刃体挟着部３１との間に挿入する部位の長さを短くすることが可能である。
【００４４】
・加えて、ホルダ２に対する替刃３の突出長さＤ１を０．３〜０．９ｍｍの範囲で任意に変更してもよい。このように構成すれば、同突出長さＤ１が０．３ｍｍに近い程、顔剃りを行い易くすることができる。又、同突出長さＤ１が０．９ｍｍに近い程、ホルダ２を寝かせて使用でき、剃り心地を良くすることができる。
【００４５】
・さらに、替刃３の刃先からホルダ２の膨出部５１、５３に接する接線Ｌ１、Ｌ２と、替刃３の中央線Ｍとのなす角度θ１、θ２を２４〜３２度の範囲で任意に変更してもよい。このように構成すれば、同角度θ１、θ２が２４度に近い程、剃り心地を良くすることができる。又、同角度θ１、θ２が３２度に近い程、顔剃りを行い易くすることができる。
【００４６】
・前記実施形態では、ホルダ２の膨出部５１、５３の曲率半径を３ｍｍとしたが、２〜５ｍｍの範囲で任意に変更してもよい。このように構成すれば、同曲率半径が２ｍｍに近い程、剃り心地を良くすることができる。又、同曲率半径が５ｍｍに近い程、顔剃りを行い易くすることができる。
【００４７】
・前記実施形態では、ホルダ２の湾曲面５２、５４の曲率半径を９ｍｍとしたが、８〜１２ｍｍの範囲で任意に変更してもよい。このように構成すれば、同曲率半径が８ｍｍに近い程、ホルダ２が大型化することを抑制することができる。又、同曲率半径が１２ｍｍに近い程、ホルダ２の耐久性を向上させることができる。
【００４８】
・前記実施形態では、ホルダ２に膨出部５１、５３及び湾曲面５２、５４を形成し、替刃剃刀１を先端側から見ると、可動挟着板６及び固定挟着部７の湾曲形成された側面同士が、替刃３の中央線Ｍを中心に略左右対称形状となるように構成したが、左右非対称形状となるように構成してもよい。即ち、膨出部５１及び湾曲面５２を省略して、固定挟着部７の反可動挟着板側側面を平滑に形成してもよい。このように構成すれば、左手で柄部４を握った状態で可動挟着板６の湾曲面５４に左手の親指を添えて顔剃りを行う場合には、湾曲面５４によって左手の親指に引っ掛かりができる。従って、左利きの人が安定した状態で顔剃りを行うことができる。
【００４９】
・或いは膨出部５３及び湾曲面５４を省略して、可動挟着板６の反固定挟着部側側面を平滑に形成してもよい。このように構成すれば、右手で柄部４を握った状態で固定挟着部７の湾曲面５２に右手の親指を添えて顔剃りを行う場合には、湾曲面５２によって右手の親指に引っ掛かりができる。従って、右利きの人が安定した状態で顔剃りを行うことができる。
【００５０】
・前記実施形態では、替刃剃刀１を先端側から見たとき、左側に可動挟着板６が、右側に固定挟着部７が、それぞれ配置された構成としたが、左側に固定挟着部７が、右側に可動挟着板６が、それぞれ配置された構成としてもよい。
【００５２】
【発明の効果】
請求項１に記載の発明によれば、剃り心地が悪くなることを防止することができる。
【００５３】
さらに、請求項１に記載の発明によれば、ホルダが大型化することを抑制しつつ、耐久性を向上させることができる。
又、請求項１の発明によれば、ホルダに対する替刃の突出長さを０．３〜０．９ｍｍとしたため、剃り心地が悪くなることはなく、しかも顔剃りが行い難くなることもない。
さらに、請求項１の発明によれば、顔剃りを行うときには、膨出部及び湾曲面によって親指に引っ掛かりができるため、安定した状態で顔剃りを行うことができる。
請求項２に記載の発明によれば、剃り心地の良さと顔剃りの行い易さとを両立させることができる。
【図面の簡単な説明】
【図１】  本実施形態の替刃剃刀を示す斜視図。
【図２】  可動挟着板及び固定挟着部の構成を示す斜視図。
【図３】  替刃剃刀を先端側から見た要部拡大図。
【図４】  可動挟着板を固定挟着部に組み付ける様子を示す斜視図。
【図５】  可動挟着板を固定挟着部から取り外す様子を示す斜視図。
【図６】  顔剃り時における替刃剃刀の持ち方を示す斜視図。
【図７】  替刃剃刀の別例を示す要部拡大図。
【符号の説明】
１…替刃剃刀、２…ホルダ、３…替刃、６…挟着手段としての可動挟着板、７…挟着手段としての固定挟着部、５１…膨出部、５２…湾曲面、５３…膨出部、５４…湾曲面、Ｄ１…突出長さ、Ｌ１…接線、Ｌ２…接線、Ｍ…中央線、θ１…角度、θ２…角度。
【図１】
0004786019.tif 000002
【図２】
0004786019.tif 000003
【図３】
0004786019.tif 000004
【図４】
0004786019.tif 000005
【図５】
0004786019.tif 000006
【図６】
0004786019.tif 000007
【図７】
0004786019.tif 000008